(57)【要約】【課題】本発明は、有無線ネットワークを介して提供される広告を管理する方法およびこの方法を実行するシステムに関する。【解決手段】本発明に係る有無線ネットワークを介して提供される広告を管理する方法は、乱用が発生する広告を乱用広告として判断する段階と、乱用広告の広告主に乱用に対して通報する段階と、広告主に提供される乱用処理機能によって乱用広告を処理する段階とを含む。【選択図】図２
2008135030.tif 000002
【特許請求の範囲】
【請求項１】
有無線ネットワークを介して提供される広告を管理する方法であって、
乱用が発生する広告を乱用広告として判断する段階と、
前記乱用広告の広告主に前記乱用について通報する段階と、
前記広告主に提供される乱用処理機能によって前記乱用広告を処理する段階と、を含むことを特徴とする広告管理方法。
【請求項２】
前記乱用は、前記広告に対する不正露出または不正クリックを含み、
乱用が発生する広告を乱用広告として判断する前記段階は、
前記広告に対する露出パターンまたはクリックパターンを測定及び維持する段階と、
前記広告の露出または前記広告に対するクリックが発生する場合に、前記露出パターンまたは前記クリックパターンを用いて前記広告が前記乱用広告であるか否かを判断する段階と、を含むことを特徴とする請求項１に記載の広告管理方法。
【請求項３】
前記乱用広告の広告主に前記乱用について通報する前記段階は、
前記乱用広告に対して前記乱用の発生時刻を含む乱用メッセージを生成する段階と、
前記乱用メッセージを前記広告主の端末機に送信する段階と、を含むことを特徴とする請求項１に記載の広告管理方法。
【請求項４】
前記乱用処理機能は、前記広告主に前記乱用について通報するために送信される乱用メッセージを用いて前記乱用広告の露出に対するオン／オフを決定するための機能であることを含むことを特徴とする請求項１に記載の広告管理方法。
【請求項５】
前記広告主に提供される乱用処理機能によって前記乱用広告を処理する前記段階は、
前記乱用メッセージを用いて接続する前記広告主に前記乱用処理機能を提供する段階と、
前記乱用処理機能によって前記広告主に時間選択機能を提供する段階と、
前記時間選択機能及び前記乱用の発生時刻を用いて選択された時間内に前記乱用広告の露出を中断する段階と、を含むことを特徴とする請求項４に記載の広告管理方法。
【請求項６】
前記乱用メッセージは、前記乱用の発生時刻及び前記乱用処理機能を提供するサイトへの接続機能を含むことを特徴とする請求項４に記載の広告管理方法。
【請求項７】
有無線ネットワークを介して提供される広告を管理する方法であって、
広告に対する露出パターンまたはクリックパターンを測定および維持する段階と、
前記露出パターンまたは前記クリックパターンを用いて前記広告が前記乱用広告であるか否かを判断する段階と、
前記乱用広告の露出に対するオン／オフを処理する段階と、を含むことを特徴とする広告管理方法。
【請求項８】
前記露出パターンまたは前記クリックパターンを用いて前記広告が前記乱用広告であるか否かを判断する前記段階は、
所定の時間内に前記広告の露出回数または前記広告に対するクリック回数を測定する段階と、
前記露出回数を前記露出パターンと比較又は前記クリック回数を前記クリックパターンと比較して、前記乱用広告であるか否かを判断する段階と、を含むことを特徴とする請求項７に記載の広告管理方法。
【請求項９】
前記乱用広告の露出に対するオン／オフを処理する前記段階は、
前記乱用広告の露出を中断して前記乱用広告の広告主に通報する段階であることを特徴とする請求項７に記載の広告管理方法。
【請求項１０】
前記乱用広告の露出に対するオン／オフを処理する前記段階は、
前記乱用広告の広告主に前記乱用広告の乱用発生に関する情報及び前記露出に対するオン／オフ選択機能を提供する段階であり、
前記乱用は、前記広告に対する不正露出または不正クリックを含むことを特徴とする請求項７に記載の広告管理方法。
【請求項１１】
請求項１から１０のいずれか一項に記載の広告管理方法を実行させるためのプログラムを記録したコンピュータ読取可能な記録媒体。
【請求項１２】
有無線ネットワークを介して提供される広告を管理するシステムであって、
乱用が発生する広告を乱用広告として判断する乱用広告判断部と、
前記乱用広告の広告主に前記乱用について通報する乱用通報部と、
前記広告主に提供される乱用処理機能によって前記乱用広告を処理する乱用広告処理部と、を含むことを特徴とする広告管理システム。
【請求項１３】
前記乱用は、前記広告に対する不正露出または不正クリックを含み、
前記乱用広告判断部は、
前記広告に対する露出パターンまたはクリックパターンを測定及び維持するパターン維持部と、
前記広告の露出または前記広告に対するクリックが発生する場合に、前記露出パターンまたは前記クリックパターンを用いて前記広告が前記乱用広告であるか否かを判断する乱用広告可否判断部と、を含むことを特徴とする請求項１２に記載の広告管理システム。
【請求項１４】
前記乱用通報部は、
前記乱用広告に対して前記乱用の発生時刻を含む乱用メッセージを生成する乱用メッセージ生成部と、
前記乱用メッセージを前記広告主の端末機に送信する送信部と、を含むことを特徴とする請求項１２に記載の広告管理システム。
【請求項１５】
前記乱用処理機能は、前記広告主に前記乱用について通報するために送信される乱用メッセージを用いて前記乱用広告の露出に対するオン／オフを決定するための機能であり、
前記乱用メッセージは、前記乱用の発生時刻及び前記乱用処理機能を提供するサイトへの接続機能を含むことを特徴とする請求項１２に記載の広告管理システム。
【請求項１６】
有無線ネットワークを介して提供される広告を管理するシステムであって、
広告に対する露出パターンまたはクリックパターンを測定及び維持するパターン維持部と、
前記露出パターンまたは前記クリックパターンを用いて前記広告が前記乱用広告であるか否かを判断する乱用広告判断部と、
前記乱用広告の露出に対するオン／オフを処理する露出処理部と、を含むことを特徴とする広告管理システム。
【請求項１７】
前記乱用広告判断部は、
所定の時間内に前記広告の露出回数または前記広告に対するクリック回数を測定する露出及びクリック測定部と、
前記露出回数を前記露出パターンと比較又は前記クリック回数を前記クリックパターンと比較することで、前記乱用広告であるか否かを判断する乱用広告可否判断部と、を含むことを特徴とする請求項１６に記載の広告管理システム。
【請求項１８】
前記露出処理部は、
前記乱用広告の露出を中断して前記乱用広告の広告主に通報したり、前記乱用広告の広告主に前記乱用広告の乱用発生に関する情報及び前記露出に対するオン／オフ選択機能を提供し、
前記乱用は、前記広告に対する不正露出または不正クリックを含むことを特徴とする請求項１７に記載の広告管理システム。
【発明の詳細な説明】
【技術分野】
【０００１】
本発明は、有無線ネットワークを介して提供される広告管理方法及び広告管理システムに関し、より詳細には、広告の乱用（ａｂｕｓｉｎｇ）発生を予測して分析し、広告の広告主に乱用についての警告を行う広告管理方法及び広告管理システムに関する。
【背景技術】
【０００２】
キーワード広告（ｋｅｙｗｏｒｄ  ａｄｖｅｒｔｉｓｉｎｇ）とは、広告主が特定のキーワードを購買した後、ユーザが当該キーワードを含む検索語を用いて検索を行った場合に、その検索結果ページに広告を露出させる広告の一形態である。例えば、ユーザが「引越し」に関するキーワードを検索すると、画面には「包装引越し」、「引越しセンター」など、「引越し」と関連した広告が現れる。このキーワード広告は、特定の製品や関心がある者にのみに広告が露出されるという点において、不特定多数を相手にする広告する既存のバナー（ｂａｎｎｅｒ）広告とは異なる。すなわち、特定の製品や事案に関心がある者にのみ広告内容が示されるため、ターゲットがある程度絞って広告効果を高めることができ、広告クリック率も高い。
【０００３】
このようなキーワード広告には、ＣＰＣ方式の広告とＣＰＭ方式の広告とがある。
【０００４】
ＣＰＣ広告（Ｃｏｓｔ  Ｐｅｒ  Ｃｌｉｃｋ）は、検索が行われた後にWEBページ等に露出される回数に関係なく、クリック時にのみ広告の費用が支払われる方式を意味する。つまり、広告主が所望する金額に応じて一定の金額を預け入れさせた後に関連したキーワードの検索結果に広告を露出させ、クリックによってリンクが設定されたサイトに移動したときにのみ、クリック当たりの費用が差し引かれる方式を意味する。
【０００５】
このようなＣＰＣ広告方式の長所は、広告を必要な時間帯にのみ進行できることに加え、所望する順位に適合するまで操縦できるという点である。すなわち、広告主が予想している広告費の最近値に相応する金額だけを戦略的に策定できる。さらに、広告が必要でない場合には、払い戻しの手続き後、払い戻し期間後には１００％の払い戻しが可能であるという点もある。
【０００６】
ＣＰＭ（Ｃｏｓｔ  Ｐｅｒ  Ｍｉｌｅ）とは、一定の期間内に進行する広告に対して固定金額を定額制で指定した後、その金額だけがクリック数に関係なく進行されたり、広告の露出回数に応じて費用を算定する広告方式を意味する。例えば、ＣＰＭが１００ウォンであれば、１，０００回の露出にかかる広告費は１００ウォンとなり、一般的にウェブページの最初の画面の上端や下端に現れる広告の広告費を基準としている。ここで、「Ｍｉｌｌ」とは、ローマ数字で１，０００を意味するものである。
【０００７】
しかし、このようなＣＰＭ又はＣＰＣの形態で販売される広告には、不正露出又は不正クリックの危険性が伴っている。すなわち、意図的に広告に対するクリックを繰り返して行ったり、広告の露出回数を増加させることで広告費を助長し、広告に対する課金の体系が崩壊し得る致命的な危険要素を有している。
【発明の開示】
【発明が解決しようとする課題】
【０００８】
本発明は、上記した従来技術の問題点を解決するために案出されたものであって、有無線ネットワークを介して提供される広告を管理する方法及びこの方法を実行するシステムに関する新しい技術を提案する。
【０００９】
本発明は、広告に対して不正露出又は不正クリックを含む乱用の発生が判断された場合に、広告の露出を中断して乱用を防止することを目的とする。
【００１０】
また、本発明は、広告に対する露出パターン又はクリックパターンを測定して維持し、一定の時間内において広告に対する露出パターン又はクリックパターンが所定の差以上を示す場合に乱用を判断することで、乱用を防止することを他の目的とする。
【００１１】
また、本発明は、乱用が発生した広告の広告主に乱用を通報し、広告主から広告の露出に対するオン／オフ決定の可否を把握して乱用を防ぐことをさらに他の目的とする。
【課題を解決するための手段】
【００１２】
前記の目的を達成し、上述した従来技術の問題点を解決するために、本発明の一実施形態に係る有無線ネットワークを介して提供される広告を管理する方法は、乱用が発生する広告を乱用広告として判断する段階と、上記乱用広告の広告主に上記乱用について通報する段階と、上記広告主に提供される乱用処理機能によって上記乱用広告を処理する段階とを含むことを特徴とする。
【００１３】
本発明の一側によれば、上記乱用には、上記広告に対する不正露出又は不正クリックが含まれており、乱用が発生する広告を乱用広告として判断する上記段階は、上記広告に対する露出パターン又はクリックパターンを測定及び維持する段階と、上記広告の露出又は上記広告に対するクリックが発生する場合に、上記露出パターン又は上記クリックパターンを用いて上記広告が乱用広告であるか否かを判断する段階とを含む。
【００１４】
また、本発明の他の側面によれば、上記乱用広告の広告主に上記乱用について通報する上記段階は、上記乱用広告に対して上記乱用の発生時刻を含む乱用メッセージを生成する段階と、上記乱用メッセージを上記広告主の端末機に送信する段階とを含む。
【００１５】
本発明のさらに他の側面によれば、上記乱用処理機能は、上記広告主に上記乱用について通報するために送信される乱用メッセージを用いて上記乱用広告の露出に対するオン／オフを決定するための機能である。このとき、上記広告主に提供される乱用処理機能によって上記乱用広告を処理する上記段階は、上記乱用メッセージを用いて接続する上記広告主に上記乱用処理機能を提供する段階と、上記乱用処理機能によって上記広告主に時間選択機能を提供する段階と、上記時間選択機能および上記乱用の発生時刻を用いて選択された時間内の上記乱用広告の露出を中断する段階とを含む。
【００１６】
また、本発明の他の実施形態において、有無線ネットワークを介して提供される広告を管理する方法は、広告に対する露出パターン又はクリックパターンを測定及び維持する段階と、上記露出パターン又は上記クリックパターンを用いて上記広告が乱用広告であるか否かを判断する段階と、上記乱用広告の露出に対するオン／オフを処理する段階とを含む。
【発明の効果】
【００１７】
本発明によれば、広告に対して不正露出または不正クリックを含む乱用の発生が判断された場合に、広告の露出を中断して乱用を防止することができる。
【００１８】
また、本発明によれば、広告に対する露出パターンまたはクリックパターンを測定して維持し、一定の時間内に広告に対して露出パターンまたはクリックパターンに対して所定の差以上の示す場合に対して乱用を判断することで、乱用を防止することができる。
【００１９】
本発明によれば、乱用が発生した広告の広告主に当該乱用について通報し、広告主から広告の露出に対するオン／オフ決定の可否を把握して乱用を防止することができる。
【発明を実施するための最良の態様】
【００２０】
以下、添付の図面を参照して、本発明に係る多様な実施形態について詳しく説明する。
【００２１】
本発明は、上述したようなＣＰＭまたはＣＰＣの形式で販売される広告に対して広告費を助長する恐れのある乱用を予測し、かつ分析して処理するためのものである。
【００２２】
図１は、本発明に係る広告管理システムの概括的な様子を示した図である。
【００２３】
広告管理システム１００は、有無線ネットワークを介してユーザ端末機１０１に提供されるウェブページ（またはワップページ）１０２に掲載された広告１０３の露出またはクリックを確認し、これに対する露出パターンやクリックパターンを測定および維持するものである。すなわち、ユーザ端末機１０１からウェブページ１０２にアクセスすることで露出されるＣＰＭ形態の広告に対する露出パターンを測定および維持したり、ユーザ端末機１０１によってクリックが発生するＣＰＣ形態の広告に対するクリックパターンを測定および維持する。
【００２４】
広告管理システム１００は、このように測定された露出パターンおよびクリックパターンを用いて広告に対する不正露出または不正クリックの発生を予測して分析し、広告の露出を中断したり、広告の広告主に通報したりする。このとき、広告管理システム１００は、広告主の端末機１０４に不正露出または不正クリックに関する情報を含む乱用メッセージを送信する。
【００２５】
なお、本明細書に記載されている「端末機」とは、ＰＤＣ（Ｐｅｒｓｏｎａｌ  Ｄｉｇｉｔａｌ  Ｃｅｌｌｕｌａｒ）フォン、ＰＣＳ（Ｐｅｒｓｏｎａｌ  Ｃｏｍｍｕｎｉｃａｔｉｏｎ  Ｓｅｒｖｉｃｅ）フォン、ＰＨＳ（Ｐｅｒｓｏｎａｌ  Ｈａｎｄｙｐｈｏｎｅ  Ｓｙｓｔｅｍ）フォン、ＣＤＭＡ−２０００（１Ｘ、３Ｘ）フォン、ＷＣＤＭＡ（Ｗｉｄｅｂａｎｄ  ＣＤＭＡ）フォン、デュアルバンド／デュアルモード（Ｄｕａｌ  Ｂａｎｄ／Ｄｕａｌ  Ｍｏｄｅ）フォン、ＧＳＭ（Ｇｌｏｂａｌ  Ｓｔａｎｄａｒｄ  ｆｏｒ  Ｍｏｂｉｌｅ）フォン、ＭＢＳ（Ｍｏｂｉｌｅ  Ｂｒｏａｄｂａｎｄ  Ｓｙｓｔｅｍ）フォン、ＤＭＢ（Ｄｉｇｉｔａｌ  Ｍｕｌｔｉｍｅｄｉａ  Ｂｒｏａｄｃａｓｔｉｎｇ）フォン、スマートフォン、携帯電話などのような通信機能が含まれた携帯用機器、ＰＤＡ（Ｐｅｒｓｏｎａｌ  Ｄｉｇｉｔａｌ  Ａｓｓｉｓｔａｎｔ）、ハンドヘルドＰＣ（Ｈａｎｄ−Ｈｅｌｄ  ＰＣ）、ノートパソコン、ラップトップコンピュータ、ＷｉＢｒｏ端末機、ＭＰ３プレーヤ、ＭＤプレーヤなどのような携帯端末機、さらに国際ローミングサービスや拡張された移動通信サービスを提供するＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）端末機などを含むすべての種類のハンドヘルド基盤の無線通信装置を意味する携帯用電気電子装置であって、ＣＤＭＡ（Ｃｏｄｅ  Ｄｉｖｉｓｉｏｎ  Ｍｕｌｔｉｐｌｅｘｉｎｇ  Ａｃｃｅｓｓ）モジュール、ブルートゥースモジュール、赤外線通信モジュール（Ｉｎｆｒａｒｅｄ  Ｄａｔａ  Ａｓｓｏｃｉａｔｉｏｎ）、有無線ＬＡＮカードおよびＧＰＳ（Ｇｌｏｂａｌ  Ｐｏｓｉｔｉｏｎｉｎｇ  Ｓｙｓｔｅｍ）を介して位置追跡を可能にするためにＧＰＳチップが搭載された無線通信装置のような所定の通信モジュールが備えられ、マルチメディア再生機能の実行が可能なマイクロプロセッサを搭載することで、一定の演算動作の実行が可能な端末機を通称する概念として解釈される。
【００２６】
また、乱用メッセージは、不正露出または不正クリックを含む乱用に対する情報の他にも、乱用を処理するサイトに接続するための機能を含む。このような乱用メッセージは、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｉｎｇ  Ｓｙｓｔｅｍ）、または電子メールなどによって広告主の端末機１０４に送信される。
【００２７】
図２は、本発明の第１実施形態において、有無線ネットワークを介して提供される広告を管理する方法を示したフローチャートである。
【００２８】
段階Ｓ２１０で、有無線ネットワークを介して提供される広告を管理する広告管理システムは、乱用が発生する広告を乱用広告として判断する。このとき、乱用には、広告に対する不正露出または不正クリックが含まれる。すなわち、広告管理システムは、不正露出または不正クリックを予め予測し、乱用が発生する広告を乱用広告として判断する。このため、乱用広告を判断する段階Ｓ２１０には、図２に示したように、段階Ｓ２１１及び段階Ｓ２１２が含まれる。
【００２９】
段階Ｓ２１１で、広告管理システムは、広告に対する露出パターンまたはクリックパターンを測定および維持する。このとき、露出パターンおよびクリックパターンは、所定の時間ごとに当該時間内で広告に対する露出回数またはクリック回数を測定することで測定される。
【００３０】
段階Ｓ２１２で、広告管理システムは、広告の露出または広告に対するクリックが発生する場合に、露出パターンまたはクリックパターンを用いて広告が乱用広告であるか否かを判断する。すなわち、所定の時間に対する広告の露出回数または広告に対するクリック回数を集計した後、露出パターンまたはクリックパターンが含む時間帯別の露出回数またはクリック回数のうちの所定の時間に関する時間帯の露出回数またはクリック回数と比較することで、広告が乱用広告であるか否かが判断される。
【００３１】
このように、広告に対する乱用の発生を判断する方法については、図３の一例を用いてより詳しく説明する。
【００３２】
段階Ｓ２２０で、広告管理システムは、乱用広告の広告主に乱用について通報する。このとき、広告管理システムは、乱用に関するメッセージを生成して広告主の端末機１０４に伝送することで通報できる。このために、広告主に乱用について通報する段階Ｓ２２０には、図２に示したように、段階Ｓ２２１及び段階Ｓ２２２が含まれる。
【００３３】
段階Ｓ２２１で、広告管理システムは、乱用広告に対して乱用の発生時刻を含む乱用メッセージを生成する。このように、乱用メッセージには、乱用の発生時刻が含まれ、さらに乱用処理機能を提供するサイトへの接続機能も含まれる。
【００３４】
また、乱用メッセージには、乱用の内容を含んでもよい。例えば、乱用メッセージは、乱用に関する広告の露出回数およびクリック回数を同じ時間帯のパターンと比較して何回以上超過したのかに対する情報を含むこともできる。
【００３５】
段階Ｓ２２２で、広告管理システムは、乱用メッセージを広告主の端末機１０４に送信する。上述したように、端末機１０４は、携帯電話、ＰＣなど多種の端末機を意味し、広告主は、乱用に対する情報を受信するための端末機を予め選択することができる。
【００３６】
例えば、広告主が自分の携帯電話を端末機として選択し、携帯電話が広告管理システムからの通報先に設定されている場合、広告管理システムは、携帯電話に関する電話番号を用いてＳＭＳまたはＭＭＳのような形態の乱用メッセージを送信することもでき、予め録音された音声を用いて乱用メッセージを送信することもできる。
【００３７】
段階Ｓ２３０で、広告管理システムは、広告主に提供される乱用処理機能を用いて乱用広告を処理する。このような乱用処理機能は、広告主が、当該広告主に乱用について通報するために送信される乱用メッセージを用いて、乱用広告の露出に対するオン／オフを決定するための機能である。この乱用広告を処理する段階Ｓ２３０については、図４を用いてより詳しく説明する。
【００３８】
図３は、露出パターンまたはクリックパターンを用いて乱用の発生を判断する方法の一例である。
【００３９】
グラフ３００は、時間とクリック回数との関係を示しており、縦軸がクリック回数、横軸が時間である。そして、当該グラフ３００は、広告に対する不正クリックを含む乱用が発生していない場合と発生した場合の各々のパターンを示している。すなわち、符号３０１（点ハッチング）は乱用発生前のクリックパターンを示しており、符号３０２（斜線ハッチング）は乱用発生後のクリックパターンを示している。
【００４０】
このようなグラフ３００を用いて詳察できるように、不正クリックの特性上、乱用の発生前と後とでは大きな差が現われる。広告管理システムでは、これを用いて広告に対する乱用の発生を判断することができる。
【００４１】
例えば、図３の符号３０３のように、午前１０時が少し過ぎた状況において、通常の乱用が発生していないクリックパターンと比べて所定の差を超過するクリック回数が測定された場合には、広告管理システムにおいてこれを乱用の発生として判断し、乱用に対する乱用メッセージを生成して広告の広告主に送信する。
【００４２】
すなわち、乱用の発生を予め予測して分析して広告主に通報することによって、広告に対して発生可能な乱用に対処できる。
【００４３】
また、図３では、広告に対するクリックに対してのみ説明したが、広告の露出に対しても同じ方法を用いて露出パターンを測定し、乱用の発生を予測および処理することも可能である。つまり、通常の乱用が発生していない露出パターンと比べて所定の差を超過する露出回数が測定された場合には、広告管理システムにおいてこれを乱用の発生として判断し、乱用に対する乱用メッセージを生成して広告の広告主に送信する。
【００４４】
図４は、本発明の第１実施形態において、乱用広告を処理する方法を示したフローチャートである。図４に示すように、段階Ｓ４０１〜Ｓ４０３は、図２で説明した段階Ｓ２３０に含まれて実行される。
【００４５】
段階Ｓ４０１で、広告管理システムは、乱用メッセージを用いて接続する広告主に乱用処理機能を提供する。すなわち、上述したように、乱用メッセージには、乱用の発生時刻及び乱用処理機能を提供するサイトへの接続機能（リンク）が含まれ、広告管理システムは、このような乱用メッセージの接続機能によって接続した広告主に乱用処理機能を提供する。
【００４６】
段階Ｓ４０２で、広告管理システムは、乱用処理機能によって広告主に時間選択機能を提供する。このような乱用処理機能には、上述したような一定の時間内の広告の露出を中断する機能だけでなく、露出を中断するための時間を設定できる時間選択機能が含まれるように構成できる。
【００４７】
段階Ｓ４０３で、広告管理システムは、時間選択機能及び乱用の発生時刻を用いて広告主によって選択された時間内の乱用広告の露出を中断する。このように、広告主は、乱用メッセージに含まれた乱用広告の乱用に関する情報及び時間選択機能を用いて一定の時間内での乱用広告の露出を中断するように設定できる。
【００４８】
広告管理システムは、設定された一定の時間内に乱用広告の露出を中断し、一定の時間が経過すれば再び乱用広告を露出させることができる。
【００４９】
このように、広告主は、乱用メッセージによって乱用広告を露出させるか否かを決定することができ、乱用処理機能を提供するサイトに接続したり、乱用メッセージを無視することもできる。例えば、広告主のサイトで進行するイベントなどによって乱用が発生する場合もあるが、このように特殊な場合には、広告主の判断に応じて乱用メッセージを無視してもよい。
【００５０】
このように、広告管理方法によれば、広告に対して不正露出または不正クリックを含む乱用の発生が判断される場合には、広告の露出を中断して乱用を防ぐことができ、広告に対する露出パターンまたはクリックパターンを測定して維持し、一定の時間内に広告に対して露出パターンまたはクリックパターンに対して所定の差を超過する場合に乱用と判断することで、乱用を防止できるようになる。
【００５１】
また、乱用が発生した広告の広告主に乱用について通報し、広告主から広告の露出に対するオン／オフの決定の可否を把握して乱用を防止できるようになる。
【００５２】
図５は、本発明の第２実施形態において、有無線ネットワークを介して提供される広告を管理する広告管理システムの内部構成を説明するためのブロック図である。図５に示すように、広告管理システム５００は、乱用広告判断部５１０と、乱用通報部５２０と、乱用広告処理部５３０とを含む。
【００５３】
乱用広告判断部５１０は、乱用が発生する広告を乱用広告として判断する。このとき、乱用には、広告に対する不正露出または不正クリックが含まれる。また、このような広告に対する不正露出または不正クリックを判断して広告を乱用広告として判断するために、乱用広告判断部５１０は、図５に示したように、パターン維持部５１１及び乱用広告可否判断部５１２が含まれる。
【００５４】
パターン維持部５１１は、広告に対する露出パターンまたはクリックパターンを測定および維持する。このとき、露出パターンおよびクリックパターンは、所定の時間毎に当該時間内に広告に対する露出回数またはクリック回数を測定することで測定されるようになる。
【００５５】
乱用広告可否判断部５１２は、広告の露出または広告に対するクリックが発生する場合に、測定した露出パターンまたはクリックパターンを用いて広告が乱用広告であるか否かを判断する。すなわち、乱用広告可否判断部５１２は、所定時間に対する広告の露出の回数または広告に対するクリックの回数を集計し、露出パターンまたはクリックパターンが含む時間に関する時間帯別の露出回数またはクリック回数と比較することで、広告の乱用広告可否を判断できるようになる。
【００５６】
乱用通報部５２０は、乱用広告の広告主に乱用について通報する。このとき、乱用通報部５２０は、乱用に関するメッセージを生成して広告主の端末機に伝送することで、乱用を広告主に通報できる。このため、広告主に乱用について通報する乱用通報部５２０には、図５に示すように、乱用広告に対して乱用の発生時刻を含む乱用メッセージを生成する乱用メッセージ生成部５２１と、乱用メッセージを広告主の端末機に送信する送信部５２２が含まれる。
【００５７】
このように、乱用メッセージには乱用の発生時刻が含まれる上に、乱用処理機能を提供するサイトへの接続機能を含むだけでなく、乱用の内容が含まれる場合もある。
【００５８】
また、上述したように、端末機は、携帯電話、ＰＣなど多種の端末機を意味し、広告主は、乱用に対する情報を受信するための端末機を予め選択することができる。
【００５９】
乱用広告処理部５３０は、広告主に提供される乱用処理機能によって乱用広告を処理する。このとき、乱用処理機能は、広告主に乱用を通報するために送信される乱用メッセージを用いて乱用広告の露出に対するオン／オフを決定するための機能である。
【００６０】
このような乱用広告を処理するために、乱用広告処理部５１０は、乱用メッセージを用いて接続する広告主に乱用処理機能を提供し、乱用処理機能によって広告主に時間選択機能を提供することで、時間選択機能及び乱用の発生時刻に基づいて選択された時間内に乱用広告の露出を中断できるようになる。
【００６１】
このように、本発明の広告管理システムを用いて広告に対する不正露出または不正クリックを含む乱用の発生が判断される場合に、広告の露出を中断して乱用を防ぐことができ、広告に対する露出パターンまたはクリックパターンを測定して維持し、一定の時間内に広告に対する露出パターン又はクリックパターンに対して所定の差を超過する場合に対して乱用と判断することで、乱用を防止できるようになる。
【００６２】
また、乱用が発生した広告の広告主に乱用について通報し、広告主から広告の露出に対するオン／オフ決定の可否を把握することで、乱用を防止できるようになる。
【００６３】
図６は、本発明の第３実施形態において、有無線ネットワークを介して提供される広告を管理する方法を示したフローチャートである。
【００６４】
段階Ｓ６０１で、有無線ネットワークを介して提供される広告を管理する広告管理システムは、広告に対する露出パターンまたはクリックパターンを測定および維持する。このとき、露出パターンおよびクリックパターンは、所定の時間毎に当該時間内の広告に対する露出回数またはクリック回数を測定することで測定されるようになる。すなわち、図３の一例のように、時間帯別のクリック回数または時間帯別の露出回数を測定することで、露出パターンまたはクリックパターン（乱用発生を検出するための基準パターン）を測定できる。
【００６５】
段階Ｓ６０２で、広告管理システムは、露出パターンまたはクリックパターンを用いて広告の乱用広告の可否を判断する。このとき、広告管理システムは、所定の時間内に広告の露出回数または広告に対するクリック回数を測定し、露出回数を露出パターンと比べたり、クリック回数をクリックパターンと比べることで、乱用広告の可否を判断できる。
【００６６】
すなわち、広告管理システムは、時間に対する広告の露出回数または広告に対するクリックの回数を露出パターンまたはクリックパターンと比較することで、広告の乱用広告の可否を判断できるようになる。
【００６７】
段階Ｓ６０３で、広告管理システムは、乱用広告の露出に対するオン／オフを処理する。このとき、広告管理システムは、乱用広告の露出を中断して乱用広告の広告主に通報することができる。また、乱用広告の広告主に乱用広告の乱用発生に関する情報および露出に対するオン／オフ選択機能を提供することもできる。このような乱用には、広告に対する不正露出または不正クリックが含まれるようになる。
【００６８】
このように、本発明に係る広告管理方法を用いれば、有無線ネットワークを介して提供される広告に対して不正クリックまたは不正露出を含む乱用の発生を予測できるようになり、これを分析して広告が乱用広告であると判断される場合には、広告の露出を中断して広告の広告主に乱用発生に関する内容を通報できるようになる。
【００６９】
または、先ず乱用の発生について広告主に通報し、広告主の選択に応じて広告の露出を中断することで、乱用を防止することもできる。また、乱用処理機能による乱用広告の露出に対するオン／オフを予め広告主が設定することで、自動的に広告の露出を中断し、乱用を防止することも可能である。
【００７０】
図７は、本発明の第４実施形態において、有無線ネットワークを介して提供される広告を管理する広告管理システムの内部構成を説明するためのブロック図である。図７に示すように、広告管理システム７００は、パターン維持部７０１と、乱用広告判断部７０２と、露出処理部７０３とを含む。
【００７１】
パターン維持部７０１は、広告に対する露出パターンまたはクリックパターンを測定および維持する。このとき、露出パターンおよびクリックパターンは、所定の時間毎に当該時間内に広告に対する露出回数またはクリック回数を測定することで測定できる。
【００７２】
乱用広告判断部７０２は、露出パターンまたはクリックパターンを用いて広告が乱用広告であるか否かを判断する。このとき、乱用広告判断部７０２は、所定の時間内に広告の露出回数または広告に対するクリック回数を測定する露出およびクリック測定部（図示せず）および露出回数を露出パターンと比較したり、クリック回数をクリックパターンと比較することによって、乱用広告であるか否かを判断する乱用広告可否判断部（図示せず）を含む。
【００７３】
すなわち、露出およびクリック測定部は、露出パターンまたはクリックパターンと比較するための露出回数またはクリック回数を測定し、乱用広告可否判断部は、時間に対する広告の露出回数または広告に対するクリック回数を露出パターンまたはクリックパターンと比較することで、広告の乱用広告の可否を判断する。
【００７４】
露出処理部７０３は、乱用広告の露出に対するオン／オフを処理する。このとき、露出処理部７０３は、乱用広告の露出を中断して乱用広告の広告主に通報したり、乱用広告の広告主に乱用広告の乱用発生に関する情報および露出に対するオン／オフ選択機能を提供できる。乱用には、広告に対する不正露出または不正クリックが含まれる。
【００７５】
このように、本発明に係る広告管理システムを用いることで、有無線ネットワークを介して提供される広告に対して不正クリックまたは不正露出を含む乱用の発生を予測できるようになる。
【００７６】
また、これを分析して広告が乱用広告であると判断される場合には、広告の露出を中断して広告の広告主に乱用発生に関する内容を通報することもできるし、先ず乱用の発生について広告主に通報し、広告主の選択に応じて広告の露出を中断することによって乱用を防ぐこともできる。
【００７７】
本発明に係る実施形態の広告管理方法は、コンピュータにより具現される多様な動作を実行するためのプログラム命令を含むコンピュータ読み取り可能な記録媒体を含む。記録媒体は、プログラム命令、データファイル、データ構造などを単独または組み合わせて含むこともできる。また記録媒体およびプログラム命令は、本発明の目的のために特別に設計されて構成されたものでもよく、コンピュータソフトウェア分野の技術を有する当業者にとって公知であり使用可能なものであってもよい。コンピュータ読み取り可能な記録媒体の例としては、ハードディスク、フロッピー（登録商標）ディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体を含んでもよい。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００７８】
上述したように、本発明を好ましい実施形態に則して説明したが、本発明の技術分野において熟練した当業者にとっては、特許請求の範囲に記載された本発明の技術的思想及びその領域から逸脱しない範囲内で、本発明を多様に修正及び変更させることができることを理解することができるであろう。すなわち、本発明の技術的範囲は、特許請求の範囲に基づいて定められ、発明を実施するための最良の形態により制限されるものではない。
【図面の簡単な説明】
【００７９】
【図１】本発明に係る広告管理システムの概括的な様子を示した図である。
【図２】本発明の第１実施形態において、有無線ネットワークを介して提供される広告を管理する方法を示したフローチャートである。
【図３】露出パターンまたはクリックパターンを用いて乱用の発生を判断する方法の一例である。
【図４】本発明の第１実施形態において、乱用広告を処理する方法を示したフローチャートである。
【図５】本発明の第２実施形態において、有無線ネットワークを介して提供される広告を管理する広告管理システムの内部構成を説明するためのブロック図である。
【図６】本発明の第３実施形態において、有無線ネットワークを介して提供される広告を管理する方法を示したフローチャートである。
【図７】本発明の第４実施形態において、有無線ネットワークを介して提供される広告を管理する広告管理システムの内部構成を説明するためのブロック図である。
【符合の説明】
【００８０】
５００：広告管理システム
５１０：乱用広告判断部
５１１：パターン維持部
５１２：乱用広告可否判断部
５２０：乱用通報部
５２１：乱用メッセージ生成部
５２２：送信部
５３０：乱用広告処理部
【図１】
2008135030.tif 000003
【図２】
2008135030.tif 000004
【図３】
2008135030.tif 000005
【図４】
2008135030.tif 000006
【図５】
2008135030.tif 000007
【図６】
2008135030.tif 000008
【図７】
2008135030.tif 000009